(57)【特許請求の範囲】
【請求項１】
無線基地局が、配下のセルに接続している移動局に対して、コネクション再設定信号によって、マルチポイント協調送受信処理を行う送信ポイントの追加又は変更を指示する際に、該送信ポイントにおける該移動局用の参照信号の設定情報を通知する工程と、
前記移動局が、前記マルチポイント協調送受信処理を行っている間、前記送信ポイントにおける該移動局用の参照信号を用いて、該送信ポイントにおけるチャネル品質を測定する工程と、
前記移動局が、前記無線基地局に対して、前記送信ポイントにおけるチャネル品質を通知する工程とを有することを特徴とする移動通信方法。
【請求項２】
無線基地局であって、
前記無線基地局配下のセルに接続している移動局に対して、コネクション再設定信号によって、マルチポイント協調送受信処理を行う送信ポイントの追加又は変更を指示する際に、該送信ポイントにおける該移動局用の参照信号の設定情報を通知するように構成されている送信部と、
前記マルチポイント協調送受信処理を行っている間、前記移動局から、前記送信ポイントにおける該移動局用の参照信号を用いて測定された該送信ポイントにおけるチャネル品質を取得するように構成されている受信部とを具備することを特徴とする無線基地局。
【請求項３】
移動局であって、
無線基地局配下のセルに接続しており、マルチポイント協調送受信処理を行っている場合で、かつ、該無線基地局からのコネクション再設定信号によって、該マルチポイント協調送受信処理を行う送信ポイントの追加又は変更を指示された場合に、該送信ポイントにおける前記移動局用の参照信号の設定情報を受信するように構成されている受信部と、
前記マルチポイント協調送受信処理を行っている間、前記送信ポイントにおける前記移動局用の参照信号を用いて、該送信ポイントにおけるチャネル品質を測定するように構成されている処理部と、
前記無線基地局に対して、前記送信ポイントにおけるチャネル品質を通知するように構成されている送信部とを具備することを特徴とする移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式において、セル端に位置する移動局ＵＥにおけるスループットの改善等を図ることを目的として、ＣｏＭＰ（Ｃｏｏｒｄｉｎａｔｅｄ  Ｍｕｌｔｉ-Ｐｏｉｎｔ、マルチポイント協調）送受信処理を適用することについて検討されている。
【０００３】
かかるＣｏＭＰ送受信処理は、地理的に離れた複数の送受信ノード（ＣｏＭＰ用送信ポイント）の間で、例えば、無線基地局ｅＮＢや基地局用無線装置ＲＲＥ（Ｒｅｍｏｔｅ  Ｒａｄｉｏ  Ｅｑｕｉｐｍｅｎｔ）やリレーノードＲＮ等の間で、共有データチャネル信号の送受信やスケジューリングやビームフォーミング等を協調制御する処理である。
【先行技術文献】
【非特許文献】
【０００４】
【非特許文献１】３ＧＰＰ  ＴＲ３６.８１９
【発明の概要】
【発明が解決しようとする課題】
【０００５】
しかしながら、現在のＬＴＥ方式では、かかるＣｏＭＰ送受信処理を行うＣｏＭＰ用送信ポイントの追加及び変更について、どのように行うべきか規定されていないという問題点があった。
【０００６】
そこで、本発明は、上述の課題に鑑みてなされたものであり、ＣｏＭＰ送受信処理を行うＣｏＭＰ用送信ポイントの追加及び変更を適切に行うことができる移動通信方法、無線基地局及び移動局を提供することを目的とする。
【課題を解決するための手段】
【０００７】
本発明の第１の特徴は、移動通信方法であって、無線基地局が、配下のセルに接続している移動局に対して、コネクション再設定信号によって、マルチポイント協調送受信処理を行うＣｏＭＰ用送信ポイントの追加又は変更を指示する際に、該送信ポイントにおける該移動局用の参照信号の設定情報を通知する工程と、前記移動局が、前記マルチポイント協調送受信処理を行っている間、前記送信ポイントにおける該移動局用の参照信号を用いて、該送信ポイントにおけるチャネル品質を測定する工程と、前記移動局が、前記無線基地局に対して、前記送信ポイントにおけるチャネル品質を通知する工程とを有することを要旨とする。
【０００８】
本発明の第２の特徴は、無線基地局であって、前記無線基地局配下のセルに接続している移動局に対して、コネクション再設定信号によって、マルチポイント協調送受信処理を行う送信ポイントの追加又は変更を指示する際に、該送信ポイントにおける該移動局用の参照信号の設定情報を通知するように構成されている送信部と、前記マルチポイント協調送受信処理を行っている間、前記移動局から、前記送信ポイントにおける該移動局用の参照信号を用いて測定された該送信ポイントにおけるチャネル品質を取得するように構成されている受信部とを具備することを要旨とする。
【０００９】
本発明の第３の特徴は、移動局であって、無線基地局配下のセルに接続しており、マルチポイント協調送受信処理を行っている場合で、かつ、該無線基地局からのコネクション再設定信号によって、該マルチポイント協調送受信処理を行う送信ポイントの追加又は変更を指示された場合に、該送信ポイントにおける前記移動局用の参照信号の設定情報を受信するように構成されている受信部と、前記マルチポイント協調送受信処理を行っている間、前記送信ポイントにおける前記移動局用の参照信号を用いて、該送信ポイントにおけるチャネル品質を測定するように構成されている処理部と、前記無線基地局に対して、前記送信ポイントにおけるチャネル品質を通知するように構成されている送信部とを具備することを要旨とする。
【発明の効果】
【００１０】
以上説明したように、本発明によれば、ＣｏＭＰ送受信処理を行うＣｏＭＰ用送信ポイントの追加及び変更を適切に行うことができる移動通信方法、無線基地局及び移動局を提供することができる。
【図面の簡単な説明】
【００１１】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「ＲＲＣ  Ｃｏｎｎｅｃｔｉｏｎ  Ｒｅｃｏｎｆｉｇｕｒａｔｉｏｎ」のフォーマットの一例を示す図である。
【図４】本発明の第１の実施形態に係る無線基地局によって送信される「ＲＲＣ  Ｃｏｎｎｅｃｔｉｏｎ  Ｒｅｃｏｎｆｉｇｕｒａｔｉｏｎ」に含まれる情報要素「ＲａｄｉｏＲｅｓｏｕｒｃｅＣｏｎｆｉｇＣｏｍｍｏｎ」のフォーマットの一例を示す図である。
【図５】本発明の第１の実施形態に係る無線基地局によって送信される「ＲＲＣ  Ｃｏｎｎｅｃｔｉｏｎ  Ｒｅｃｏｎｆｉｇｕｒａｔｉｏｎ」に含まれる情報要素「ＲａｄｉｏＲｅｓｏｕｒｃｅＣｏｎｆｉｇＤｅｄｉｃａｔｅｄ」のフォーマットの一例を示す図である。
【図６】本発明の第１の実施形態に係る無線基地局によって送信される「ＲＲＣ  Ｃｏｎｎｅｃｔｉｏｎ  Ｒｅｃｏｎｆｉｇｕｒａｔｉｏｎ」に含まれる情報要素「ＲａｄｉｏＲｅｓｏｕｒｃｅＣｏｎｆｉｇＤｅｄｉｃａｔｅｄ」に含まれる情報要素「ＰｈｙｓｉｃａｌＣｏｎｆｉｇＤｅｄｉｃａｔｅｄ」のフォーマットの一例を示す図である。
【図７】本発明の第１の実施形態に係る移動局の機能ブロック図である。
【図８】本発明の第１の実施形態に係る移動通信システムの動作を説明するシーケンス図である。
【図９】本発明の変更例１に係る無線基地局によって送信される「ＲＲＣ  Ｃｏｎｎｅｃｔｉｏｎ  Ｒｅｃｏｎｆｉｇｕｒａｔｉｏｎ」のフォーマットの一例を示す図である。
【発明を実施するための形態】
【００１２】
（本発明の第１の実施形態に係る移動通信システム）
図１乃至図８を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１３】
本実施形態に係る移動通信システムは、ＣｏＭＰ送受信処理、特に、下りＣｏＭＰ送受信処理を行うことができるように構成されている。
【００１４】
本実施形態に係る移動通信システムでは、ＣｏＭＰ送受信処理、特に、下りＣｏＭＰ送受信処理を行うことができるように構成されている。
【００１５】
かかる下りＣｏＭＰ送受信処理には、「ＪＴ（Ｊｏｉｎｔ  Ｔｒａｎｓｍｉｓｓｉｏｎ）」や「ＤＣＳ（Ｄｙｎａｍｉｃ  Ｃｅｌｌ  Ｓｅｌｅｃｔｉｏｎ）」や「ＣＳ/ＣＢ（Ｃｏｏｒｄｉｎａｔｅｄ  Ｓｃｈｅｄｕｌｉｎｇ/Ｂｅａｍｆｏｒｍｉｎｇ）」が含まれている。
【００１６】
ここで、「ＪＴ」は、複数のセルから、すなわち、サービングセル以外のセルからも、移動局ＵＥに対して、共有データチャネル信号を送信する処理である。
【００１７】
また、「ＤＣＳ」は、チャネル品質情報（ＣＱＩ）に基づいて、高速に、1つのセルを選択し、選択したセルから、移動局ＵＥに対して、共有データチャネル信号を送信する処理である。
【００１８】
さらに、「ＣＳ/ＣＢ」は、サービングセルと周辺セルとの間で、スケジューリングやビームフォーミングを協調する処理である。
【００１９】
図１に示すように、本実施形態に係る移動通信システムでは、セル＃１〜＃５において、ＣｏＭＰ送受信処理を提供することができるように構成されている、すなわち、セル＃１〜＃５が、ＣｏＭＰサポートエリアとなるように構成されているものとする。
【００２０】
なお、セル＃１〜＃５は、同一の無線基地局ｅＮＢによって管理されていてもよいし、異なる無線基地局ｅＮＢによって管理されていてもよい。
【００２１】
また、各セル＃１〜＃５では、ＣＲＳ（Ｃｅｌｌ  ｓｐｅｃｉｆｉｃ  Ｒｅｆｅｒｅｎｃｅ  Ｓｉｇｎａｌ）に加えて、ＣＳＩ-ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を送信することができるように構成されている。
【００２２】
ここで、ＣＲＳは、ＬＴＥのＲｅｌ-８/９方式で規定されている参照信号であって、各セル内の全ての移動局ＵＥに対して共通に設定される参照信号である。
【００２３】
一方、ＣＳＩ-ＲＳは、ＬＴＥのＲｅｌ-１０方式で規定されている参照信号であって、ＲＲＣ（Ｒａｄｉｏ  Ｒｅｓｏｕｒｃｅ  Ｃｏｎｔｒｏｌ）メッセージを用いて移動局ＵＥごとに個別に設定される参照信号である。
【００２４】
ＣＳＩ-ＲＳは、ＣｏＭＰ用送信ポイント（ＣｏＭＰ送受信処理の対象候補）やサービングセルや周辺セル（ハンドオーバ先候補）等の品質測定処理のために用いられてもよいし、ＣｏＭＰ送受信処理が行われているＣｏＭＰ用送信ポイントやサービングセルにおけるＣＱＩを測定するために用いられてもよい。
【００２５】
なお、上述の品質測定処理のために用いられるＣＳＩ-ＲＳ及び上述のＣＱＩを測定するために用いられるＣＳＩ-ＲＳは、同じものであってもよいし、異なるものであってもよい。
【００２６】
例えば、上述の品質測定処理における測定精度及び上述のＣＱＩの測定精度に対する要求条件に基づいて、上述の品質測定処理のために用いられるＣＳＩ-ＲＳ及び上述のＣＱＩを測定するために用いられるＣＳＩ-ＲＳを同じものにするか或いは異なるものにするかについて決定することができる。
【００２７】
また、ＣＳＩ-ＲＳの配置密度は、ＣＲＳの配置密度と比べて低くなるように構成されている。
【００２８】
また、セル＃１〜＃５においてＣｏＭＰ送受信処理が提供される場合、セル（ＣｏＭＰ用送信ポイント）＃１〜＃５において、同一のＰＣＩ（Ｐｈｙｓｉｃａｌ  Ｃｅｌｌ  ＩＤ）が用いられるように構成されていてもよいし、異なるＰＣＩが用いられるように構成されていてもよい。
【００２９】
本実施形態における移動通信システムでは、移動局ＵＥは、無線基地局ｅＮＢ配下のセル＃５に接続している、すなわち、セル＃５が、移動局ＵＥのサービングセルとなっているものとする。
【００３０】
また、本実施形態における移動通信システムでは、１つ又は複数の無線基地局ｅＮＢが、移動局ＵＥに対して、セル＃１〜＃５によるＣｏＭＰ送受信処理を提供しているものとする。
【００３１】
図２に示すように、無線基地局ｅＮＢは、ＣｏＭＰ送受信処理部１１と、送信部１２と、受信部１３とを具備している。
【００３２】
ＣｏＭＰ送受信処理部１１は、移動局ＵＥに対してＣｏＭＰ送受信処理（例えば、上述の「ＪＴ」や「ＤＣＳ」や「ＣＳ/ＣＢ」等）を提供する際に必要な処理を行うように構成されている。
【００３３】
送信部１２は、無線基地局ｅＮＢ配下のセル＃５等に接続している移動局ＵＥに対して、各種信号を送信するように構成されている。
【００３４】
例えば、送信部１２は、かかる移動局ＵＥに対して、「ＲＲＣ  Ｃｏｎｎｅｃｔｉｏｎ  Ｒｅｃｏｎｆｉｇｕｒａｔｉｏｎ」によって、ＣｏＭＰ送受信処理を行うＣｏＭＰ用送信ポイントの追加又は変更を指示する際に、かかるＣｏＭＰ用送信ポイントにおけるＣＳＩ-ＲＳの設定情報を通知するように構成されている。
【００３５】
図３に、かかる「ＲＲＣ  Ｃｏｎｎｅｃｔｉｏｎ  Ｒｅｃｏｎｆｉｇｕｒａｔｉｏｎ」のフォーマットの一例について示す。
【００３６】
図３に示す「ＲＲＣ  Ｃｏｎｎｅｃｔｉｏｎ  Ｒｅｃｏｎｆｉｇｕｒａｔｉｏｎ」において、「ｃｏｍｐＴＰｓＴｏＡｄｄＭｏｄＬｉｓｔ-ｒ１１」内の「ｐｈｙｓＣｅｌｌＩｄ-ｒ１１」は、ＣｏＭＰ送受信処理を行うＣｏＭＰ用送信ポイントとして追加すべきＣｏＭＰ用送信ポイントの識別情報を通知する、或いは、ＣｏＭＰ送受信処理を行うＣｏＭＰ用送信ポイントのうち内容を変更すべきＣｏＭＰ用送信ポイントの識別情報を通知する情報要素である（記述Ａ及びＢ参照）。
【００３７】
一方、図３に示す「ＲＲＣ  Ｃｏｎｎｅｃｔｉｏｎ  Ｒｅｃｏｎｆｉｇｕｒａｔｉｏｎ」において、「ｃｏｍｐＴＰｓＴｏＲｅｍｏｖｅＬｉｓｔ-ｒ１１」は、ＣｏＭＰ送受信処理を行うＣｏＭＰ用送信ポイントから削除すべきＣｏＭＰ用送信ポイントを通知する情報要素である（記述Ｃ参照）。
【００３８】
なお、図３に示す「ＲＲＣ  Ｃｏｎｎｅｃｔｉｏｎ  Ｒｅｃｏｎｆｉｇｕｒａｔｉｏｎ」内の「ｃｏｍｐＴＰｓＴｏＡｄｄＭｏｄＬｉｓｔ-ｒ１１」内の「ｒａｄｉｏＲｅｓｏｕｒｃｅＣｏｎｆｉｇＣｏｍｍｏｎＣｏｍｐＴｐ-ｒ１１」は、図４に示す「ＲａｄｉｏＲｅｓｏｕｒｃｅＣｏｎｆｉｇＣｏｍｍｏｎ」内に設定される。
【００３９】
また、図３に示す「ＲＲＣ  Ｃｏｎｎｅｃｔｉｏｎ  Ｒｅｃｏｎｆｉｇｕｒａｔｉｏｎ」内の「ｃｏｍｐＴＰｓＴｏＡｄｄＭｏｄＬｉｓｔ-ｒ１１」内の「ｒａｄｉｏＲｅｓｏｕｒｃｅＣｏｎｆｉｇＤｅｄｉｃａｔｅｄＣｏｍｐＴｐ-ｒ１１」は、図５に示す「ＲａｄｉｏＲｅｓｏｕｒｃｅＣｏｎｆｉｇＤｅｄｉｃａｔｅｄ」内に設定される。
【００４０】
さらに、図５に示す「ＲａｄｉｏＲｅｓｏｕｒｃｅＣｏｎｆｉｇＤｅｄｉｃａｔｅｄ」内の「ｐｈｙｓｉｃａｌＣｏｎｆｉｇＤｅｄｉｃａｔｅｄＣｏｍｐＴｐ-ｒ１１」は、図６に示す「ＰｈｙｓｉｃａｌＣｏｎｆｉｇＤｅｄｉｃａｔｅｄ」内に設定される。
【００４１】
ここで、図６に示す「ＰｈｙｓｉｃａｌＣｏｎｆｉｇＤｅｄｉｃａｔｅｄ」内の「ｃｓｉ-ＲＳ-Ｃｏｎｆｉｇ-ｒ１１」は、ＣｏＭＰ送受信処理を行うＣｏＭＰ用送信ポイントとして追加すべきＣｏＭＰ用送信ポイントにおけるＣＳＩ-ＲＳの設定情報を通知する、或いは、ＣｏＭＰ送受信処理を行っているＣｏＭＰ用送信ポイントにおいて変更するＣＳＩ-ＲＳの設定情報を通知する情報要素である。
【００４２】
受信部１３は、かかる移動局ＵＥから、各種信号を受信するように構成されている。
【００４３】
例えば、受信部１３は、ＣｏＭＰ送受信処理が行われている間、移動局ＵＥから、かかるＣｏＭＰ用送信ポイントにおけるＣＳＩ-ＲＳを用いて測定されたＣｏＭＰ用送信ポイントにおけるＣＱＩを取得するように構成されている。
【００４４】
図７に示すように、移動局ＵＥは、受信部２１と、ＣｏＭＰ送受信処理部２２と、送信部２３とを具備している。
【００４５】
受信部２１は、サービングセル（セル＃５）を管理する無線基地局ｅＮＢから、各種信号を受信するように構成されている。
【００４６】
例えば、受信部２１は、無線基地局ｅＮＢ配下のセル＃５に接続しており、ＣｏＭＰ送受信処理が行われている場合で、かつ、無線基地局ｅＮＢからの「ＲＲＣ  Ｃｏｎｎｅｃｔｉｏｎ  Ｒｅｃｏｎｆｉｇｕｒａｔｉｏｎ」によって、ＣｏＭＰ送受信処理を行うＣｏＭＰ用送信ポイントの追加又は変更を指示された場合に、かかるＣｏＭＰ用送信ポイントにおけるＣＳＩ-ＲＳの設定情報を受信するように構成されている。
【００４７】
かかる場合、具体的には、受信部２１は、図６に示す「ＰｈｙｓｉｃａｌＣｏｎｆｉｇＤｅｄｉｃａｔｅｄ」内の「ｃｓｉ-ＲＳ-Ｃｏｎｆｉｇ-ｒ１１」を介して、かかるＣｏＭＰ用送信ポイントにおけるＣＳＩ-ＲＳの設定情報を受信するように構成されている。
【００４８】
ＣｏＭＰ送受信処理部２２は、ＣｏＭＰ送受信処理（例えば、上述の「ＪＴ」や「ＤＣＳ」や「ＣＳ/ＣＢ」等）を行う際に必要な処理を行うように構成されている。
【００４９】
例えば、ＣｏＭＰ送受信処理部２２は、ＣｏＭＰ送受信処理を行っているＣｏＭＰ用送信ポイントにおけるＣＳＩ-ＲＳを用いて、かかるＣｏＭＰ用送信ポイントにおけるＣＱＩを測定するように構成されている。
【００５０】
送信部２３は、かかる無線基地局ｅＮＢに対して、各種信号を送信するように構成されている。
【００５１】
例えば、送信部２３は、上述の無線基地局ｅＮＢに対して、ＣｏＭＰ送受信処理部２２によって測定されたＣｏＭＰ用送信ポイントにおけるＣＱＩについて通知するように構成されている。
【００５２】
以下、図８を参照して、本実施形態に係る移動通信システムの動作について説明する。
【００５３】
図８に示すように、無線基地局ｅＮＢは、ステップＳ１００１において、配下のセル＃５をサービングセルとして接続している移動局ＵＥに対して、「ＲＲＣ  Ｃｏｎｎｅｃｔｉｏｎ  Ｒｅｃｏｎｆｉｇｕｒａｔｉｏｎ」を送信することによって、セル＃１〜＃５におけるＣｏＭＰ送受信処理を開始するよう指示する。
【００５４】
ステップＳ１００２において、移動局ＵＥは、かかる「ＲＲＣ  Ｃｏｎｎｅｃｔｉｏｎ  Ｒｅｃｏｎｆｉｇｕｒａｔｉｏｎ」に応じて、セル＃１〜＃５におけるＣｏＭＰ送受信処理を開始し、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５５】
本実施形態に係る移動通信システムによれば、無線基地局ｅＮＢが、移動局ＵＥに対して、上述の「ｃｓｉ-ＲＳ-Ｃｏｎｆｉｇ-ｒ１１」を含む「ＲＲＣ  Ｃｏｎｎｅｃｔｉｏｎ  Ｒｅｃｏｎｆｉｇｕｒａｔｉｏｎ」を送信することによって、ＣｏＭＰ送受信処理を行うＣｏＭＰ用送信ポイントの追加及び変更を行う際に、かかるＣｏＭＰ用送信ポイントにおけるＣＳＩ-ＲＳの設定情報を通知することができる。
【００５６】
（変更例１）
以下、図９を参照して、本発明の変更例１に係る移動通信システムについて、上述の第１の実施形態に係る移動通信システムとの相違点に着目して説明する。
【００５７】
本変更例１に係る移動通信システムでは、図９に示すように、無線基地局ｅＮＢは、移動局ＵＥに対して、「ＲＲＣ  Ｃｏｎｎｅｃｔｉｏｎ  Ｒｅｃｏｎｆｉｇｕｒａｔｉｏｎ」におけるキャリアアグリゲーションのＳｃｅｌｌの追加及び変更を行う際に用いる情報要素を活用することによって、ＣｏＭＰ送受信処理を行うＣｏＭＰ用送信ポイントの追加及び変更を行う際に、かかるＣｏＭＰ用送信ポイントにおけるＣＳＩ-ＲＳの設定情報を通知するように構成されている。
【００５８】
ここで、図９に示すように、ＣｏＭＰ送受信処理を行うＣｏＭＰ用送信ポイントの追加及び変更を行うための情報要素であることを示すために、「ＲＲＣ  Ｃｏｎｎｅｃｔｉｏｎ  Ｒｅｃｏｎｆｉｇｕｒａｔｉｏｎ」内に「ｃｏｍｐＩｎｄｉｃａｔｏｒ」が設けられるものとする。
【００５９】
以上に述べた本実施形態の特徴は、以下のように表現されていてもよい。
【００６０】
本実施形態の第１の特徴は、移動通信方法であって、無線基地局ｅＮＢが、配下のセル＃５に接続している移動局ＵＥに対して、「ＲＲＣ  Ｃｏｎｎｅｃｔｉｏｎ  Ｒｅｃｏｎｆｉｇｕｒａｔｉｏｎ（コネクション再設定信号）」によって、ＣｏＭＰ（マルチポイント協調）送受信処理を行うＣｏＭＰ用送信ポイントの追加又は変更を指示する際に、かかるＣｏＭＰ用送信ポイントにおけるＣＳＩ-ＲＳ（移動局用の参照信号）の設定情報を通知する工程と、移動局ＵＥが、ＣｏＭＰ送受信処理を行っている間、かかるＣｏＭＰ用送信ポイントにおけるＣＳＩ-ＲＳを用いて、かかるＣｏＭＰ用送信ポイントにおけるＣＱＩ（チャネル品質）を測定する工程と、移動局ＵＥが、無線基地局ｅＮＢに対して、かかるＣｏＭＰ用送信ポイントにおけるＣＱＩを通知する工程とを有することを要旨とする。
【００６１】
本実施形態の第２の特徴は、無線基地局ｅＮＢであって、無線基地局ｅＮＢ配下のセル＃５に接続している移動局ＵＥに対して、「ＲＲＣ  Ｃｏｎｎｅｃｔｉｏｎ  Ｒｅｃｏｎｆｉｇｕｒａｔｉｏｎ」によって、ＣｏＭＰ送受信処理を行うＣｏＭＰ用送信ポイントの追加又は変更を指示する際に、かかるＣｏＭＰ用送信ポイントにおけるＣＳＩ-ＲＳの設定情報を通知するように構成されている送信部１２と、ＣｏＭＰ送受信処理を行っている間、移動局ＵＥから、かかるＣｏＭＰ用送信ポイントにおけるＣＳＩ-ＲＳを用いて測定されたＣｏＭＰ用送信ポイントにおけるＣＱＩを取得するように構成されている受信部１３とを具備することを要旨とする。
【００６２】
本実施形態の第３の特徴は、移動局ＵＥであって、無線基地局ｅＮＢ配下のセル＃５に接続しており、ＣｏＭＰ送受信処理を行っている場合で、かつ、無線基地局ｅＮＢからの「ＲＲＣ  Ｃｏｎｎｅｃｔｉｏｎ  Ｒｅｃｏｎｆｉｇｕｒａｔｉｏｎ」によって、ＣｏＭＰ送受信処理を行うＣｏＭＰ用送信ポイントの追加又は変更を指示された場合に、かかるＣｏＭＰ用送信ポイントにおけるＣＳＩ-ＲＳの設定情報を受信するように構成されている受信部２１と、ＣｏＭＰ送受信処理を行っている間、かかるＣｏＭＰ用送信ポイントにおけるＣＳＩ-ＲＳを用いて、かかるＣｏＭＰ用送信ポイントにおけるＣＱＩを測定するように構成されているＣｏＭＰ送受信処理部２２と、無線基地局ｅＮＢに対して、かかるＣｏＭＰ用送信ポイントにおけるＣＱＩを通知するように構成されている送信部２３とを具備することを要旨とする。
【００６３】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６７】
ｅＮＢ…無線基地局
ＵＥ…移動局
１１、２２…ＣｏＭＰ送受信処理部
１２、２３…送信部
１３、２１…受信部
【要約】
【課題】ＣｏＭＰ送受信処理を行うＣｏＭＰ用送信ポイントの追加及び変更を適切に行う。
【解決手段】本発明に係る移動通信方法は、無線基地局ｅＮＢが、配下のセル＃５に接続している移動局ＵＥに対して、「ＲＲＣ  Ｃｏｎｎｅｃｔｉｏｎ  Ｒｅｃｏｎｆｉｇｕｒａｔｉｏｎ」によって、ＣｏＭＰ送受信処理を行うＣｏＭＰ用送信ポイントの追加又は変更を指示する際に、かかるＣｏＭＰ用送信ポイントにおけるＣＳＩ-ＲＳの設定情報を通知する工程と、移動局ＵＥが、ＣｏＭＰ送受信処理を行っている間、かかるＣｏＭＰ用送信ポイントにおけるＣＳＩ-ＲＳを用いて、かかるＣｏＭＰ用送信ポイントにおけるＣＱＩを測定する工程と、移動局ＵＥが、無線基地局ｅＮＢに対して、かかるＣｏＭＰ用送信ポイントにおけるＣＱＩを通知する工程とを有する。
【選択図】図３【図１】
0005155431.tif 000002
【図２】
0005155431.tif 000003
【図３】
0005155431.tif 000004
【図４】
0005155431.tif 000005
【図５】
0005155431.tif 000006
【図６】
0005155431.tif 000007
【図７】
0005155431.tif 000008
【図８】
0005155431.tif 000009
【図９】
0005155431.tif 000010